(57)【特許請求の範囲】
【請求項１】
キャビネット上にメイン表示窓(11)、操作部(94)を有し、着信、充電残量等を知らせる発光部(５)を内蔵した携帯端末機器において、発光部(５)は横長のリフレクター(６)とキャビネット内にて該リフレクター(６)の外側に配備される光源(７)とによって構成され、リフレクター(６)はキャビネットの発光部用長孔(22)に発光面(60)を外側にして取り付けられ、該リフレクター(６)の発光面(60)と該発光面の反対側のリフレクター底面(67)との間のリフレクター(６)側面が入光面(61)となっており、キャビネットの厚み方向に対して横切る方向から該入光面(61)に対向して光源(７)が配備されていることを特徴とする携帯端末器機。
【請求項２】
リフレクター(６)の反対側の底側において、光源(７)側の側面は全長に亘って入光面(61)となり、該入光面(61)は光源(７)を包囲する方向に緩やかに湾曲している請求項１に記載の携帯端末機器。
【請求項３】
リフレクター(６)の発光面(60)側は全周に亘って遮光面(62)となっている請求項１又は２に記載の携帯端末機器。
【請求項４】
回路基板(８)から短いフレキシブル基板(81)を介して光源用基板(71)が接続され、回路基板(８)を組み込む際に光源用基板(71)がキャビネット内の邪魔壁(12)に当たってリフレクター(６)の入光面(61)に沿う様に起立してキャビネット内に収容され、光源(７)をリフレクター(６)の入光面(61)に対向させている請求項１乃至３の何れかに記載の携帯端末機器。
【請求項５】
光源用基板(71)にはシート(72)が取り付けられ、該シートがキャビネット内の壁片(13)に支えられている請求項１乃至４の何れかに記載の携帯端末機器。
【請求項６】
シート(72)は遮光性である請求項５に記載の携帯端末機器。
【請求項７】
折畳み可能に枢支連結され折畳んだ状態で内側となるフロントキャビネット(９)と、折畳んだ状態で外側となるリアキャビネット(90)とによって携帯電話のキャビネットが構成され、フロントキャビネット(９)は第１フロントケース(１)と第２フロントケース(３)をヒンジ部(91)とによって折畳み可能に接続して形成され、リアキャビネット(90)は第１フロントケース(１)の背面に被さる第１リアカバー(２)と第２フロントケース(３)の背面に被さる第２リアカバー(４)とによって形成され、リフレクター(６)は第１リアカバー(２)のヒンジ部(91)側端部に配備されている請求項１乃至６の何れかに記載の携帯端末機器。
【請求項８】
第１リアカバー(２)のヒンジ部側先端はヒンジ部(91)に接近する方向に徐々に薄く形成されたノーズ部(20)となっており、該ノーズ部(20)に開設した発光部用長孔(22)に嵌め込んでリフレクター(６)が配備され、リフレクター(６)の発光が、第１リアカバー(２)の真上位置からも真横位置からも見えることを特徴とする請求項７に記載の携帯端末機器。
【発明の詳細な説明】
【０００１】
【発明の属する技術分野】
本発明は、携帯電話等の通信用携帯端末機器に関する。
【０００２】
【従来の技術および発明が解決しようとする課題】
携帯電話は、着信や充電残量等を知らせる発光部を有している。従来の発光部は、合成樹脂製の中実リフレクターとＬＥＤにて構成され、リフレクターの発光面と対向する底面に対向してＬＥＤを配備している。この場合、リフレクターとＬＥＤが上下に並ぶため、発光部を収容する縦スペースが大きくなり、携帯端末機器の薄型化の妨げとなった。
又、リフレクターは機器キャビネットに嵌め込んで取り付けられるが、リフレクターをキャビネット内に押し込む外力が作用した場合、リフレクターがＬＥＤやＬＥＤの回路基板を押圧して損傷させる虞れがあった。又、発光部を横長に大きくして見易く、且つデザインの差別化を図る要請があるが、リフレクターを横長に大きくしてその底面中央に対向してＬＥＤを配置すれば、リフレクタの発光面は中央部が明るく光って外側が暗くなる問題があり、発光面を斑なく発光させるには複数個のＬＥＤが必要となりコスト高となる。
本発明は、上記問題を解決できる携帯端末機器を明らかにするものである。
【０００３】
【課題を解決する為の手段】
本発明は、キャビネット上にメイン表示窓(11)、操作部(94)を有し、着信、充電残量等を知らせる発光部(５)を内蔵した携帯端末機器において、発光部(５)は横長のリフレクター(６)とキャビネット内にて該リフレクター(６)の外側に配備される光源(７)とによって構成され、リフレクター(６)はキャビネットの発光部用長孔(22)に発光面(60)を外側にして取り付けられ、光源(７)は、リフレクター(６)の発光面(60)に対して側方向から該リフレクター(６)の入光面(61)に対向して配備されていることを特徴とする。
【０００４】
リフレクター(６)の発光面(60)の反対側の底側において、光源(７)側の側面は全長に亘って入光面(61)とし、該入光面(61)を光源(７)を包囲する方向に緩やかに湾曲させることが望ましい。
【０００５】
【作用及び効果】
リフレクター(６)の側方に光源(７)を配置したため、発光部(５)全体の高さを小さくでき、携帯端末機器の薄型化に寄与できる。リフレクター(６)をキャビネット内へ押し込む外力が作用しても、リフレクター(６)の下方には光源(７)や光源用基板(71)は存在しておらず、これらを損傷する虞れはない。リフレクター(６)の側面から入光させて上向きに発光させるため、リフレクター(６)の底面から入光させて上向きに発光させるのに較べて、発光面(60)の発光斑を小さくできる。リフレクター(６)の入光面(61)を光源(７)を包囲する方向に緩やかに湾曲させておけば、リフレクター(６)に凹レンズの効果、即ち、リフレクター(６)内で光を外側に拡げる効果が生じて、一層発光面(60)の発光斑を是正できる。
【０００６】
【発明の実施の形態】
図１は、折畳み式携帯電話を示しており、図２に示す如く、該携帯電話のキャビネットは、フロントキャビネット(９)とリアキャビネット(90)からなる。折畳んだ状態で内側となるのがフロントキャビネット(９)、外側となるのがリアキャビネット(90)である。フロントキャビネット(９)は、メイン表示窓(11)を有する第１フロントケース(１)と、操作釦用孔群(31)を有する第２フロントケース(３)をヒンジ部(91)にて折り畳み可能に接続して形成される。リアキャビネット(90)は、第１フロントケース(１)の背面に被さる第１リアカバー(２)と、第２フロントケース(３)の背面に被さる第２リアカバー(４)とによって構成され、両リアカバーはビス止めによってフロントケースに固定される。
【０００７】
第１フロントケース(１)と第１リアカバー(２)との間にメイン液晶板を含む画像用回路基板(92)及びサブ液晶板(23)を搭載した多層回路基板(８)が配備され、第２フロントケース(３)と第２リアカバー(４)との間に操作釦群(94)からになる操作部(94)を含むシステム回路基板(93)が配備されている。図７に示す如く、システム回路基板(93)と多層回路基板(８)は、前記ヒンジ部(91)内を通る接続用フレキシブル基板(82)にて連繋され、多層回路基板(８)と画像用回路基板(92)はフレキシブル基板(83)に繋がっている。
【０００８】
図１、図４に示す如く、第１リアカバー(２)にはヒンジ部(91)側に透明サブ表示窓(21)が設けられ、該サブ表示窓(21)に対向してサブ液晶板(23)が配備される。サブ液晶板(23)は前記の如く多層回路基板(８)上に搭載されている。
【０００９】
図５に示す如く、第１リアカバー(２)のヒンジ部(91)側先端にヒンジ部(91)に被さるノーズ部(20)が形成されている。図４に示す如く、ノーズ部(20)は両端が凹んで幅狭に形成され、且つ図５に示す様に、緩やかな円弧状に湾曲して先端側が高さ方向に徐々に薄く形成されている。ノーズ部(20)に、発光部用長孔(22)がヒンジ部(91)の枢軸(91a)の軸心に沿う方向に開設されている。
【００１０】
ノーズ部(20)に発光部(５)が内蔵される。発光部(５)は、リフレクター(６)と該リフレクター(６)の側方に配備される光源(７)とによって構成される。リフレクター(６)は、合成樹脂にて形成され乳白色で透光性の横長中実体であって、ノーズ部(20)の発光部用長孔(22)に第１リアカバー(２)の内側から嵌め込まれて、第１フロントケース(１)上の押さえ面(10)に底面(67)が押し上げられ、長手方向の両側縁に突設したフランジ(65)(66)を発光部用長孔(22)の内側の孔縁(25)(25)に当てている。第１フロントケース(１)には上記押さえ面(10)に直交してサブ液晶板(23)側に邪魔壁(12)が形成され、該邪魔壁(12)は、後記の如く光源(７)の組み込みの際に利用される。図４に示す如く、リフレクター(６)の両端底側に孔(64)付きの弾性取付け片(63)(63)が突設され、第１リアカバー(２)上に突設した突起(図示せず)に圧入して取り付けられる。
【００１１】
リフレクター(６)は発光部用長孔(22)に露出した面が発光面(60)となり、該発光面(60)は、ノーズ部(20)の湾曲に沿って傾斜している。リフレクター(６)は発光面(60)の外周縁に装飾用の枠取りメッキが施され、該メッキ層は、リフレクター(６)の前記フランジ(65)(66)より発光面(60)側の全周にを覆って遮光面(62)を形成している。図３に示す如く、リフレクター(６)の下部のサブ液晶板(23)側の面が入光面(61)となり、該入光面(61)は、両端がサブ液晶板(23)に接近する様に緩やかに湾曲している。実施例のリフレクター(６)の大きさは、長さ(取付け片(63)(63)を除く)約１５mm、幅約４mm、高さはノーズ部(20)の先端側が約２mm、サブ液晶板(23)が約４mmである。
【００１２】
実施例の光源(７)は、赤、青、緑の３色の発光素子を有するＬＥＤであって、それら発光素子単独及び組み合わせてにより、７色に発光可能である。光源(７)は光源用基板(71)に搭載されて、リフレクター(６)とサブ液晶板(23)との間にて、リフレクター(６)の入光面(61)の略中央に対向して配備される。光源用基板(71)は前記多層回路基板(８)から１〜３mm程度の長さにリフレクター(６)側へ短く突出したフレキシブル基板(81)に繋がっている。光源用基板(71)は長さ約９mm、幅４mm程度の小片であって、背面に支持用のシート(72)が接着される。該シート(72)の長さは約３０mmで、これはサブ液晶板(23)の長さ程度であり、両端に第１フロントケース(１)上の壁片(13)(13)に引っ掛かる掛かり片(73)(73)を有している。シート(72)は光源(７)の光がサブ液晶板(23)側に漏れない役割も兼用しており、遮光性である。光源用基板(71)は、前記第１フロントケース(１)上の邪魔壁(12)とサブ液晶板(23)との間に、邪魔壁(12)に沿う様に起立して配備される。
【００１３】
然して、光源(７)を第１フロントケース(１)に組み込むには、サブ液晶板(23)を搭載した多層回路基板(８)を第１フロントケース(１)の所定の位置に嵌め込む。 このとき該回路基板(８)に短いフレキシブル基板(81)で接続された光源用基板(71)は、第１フロントケース(１)上の邪魔壁(12)に当たって、自然に該邪魔壁(12)に沿う様に起立する。光源用基板(71)は小片であり、多層回路基板(８)とフレキシブル基板(81)で繋がっているだけでは、邪魔壁(12)とサブ液晶板(23)との間でふらついて位置決めされない。しかし、光源用基板(71)の裏面に接合されたシート(72)両端の取付け片(73)(73)が第１フロントケース(１)上の壁片(13)(13)に引っ掛かって載り、光源用基板(71)の左右方向の位置決めが成される。上記の如く、小片で狭いスペースに縦向に組込み難い光源用基板(71)も、第１フロントケース(１)の邪魔壁(12)を利用することにより、簡単に組み込みできる。予め発光部用長孔(22)にリフレクター(６)を嵌め込んだ第１リアカバー(２)を第１フロントケース(１)に被せてネジ止め固定する。光源用基板(71)のシート(72)は第１リアカバー(２)に押さえられて光源用基板(71)は上方向にも位置決めされ、光源(７)はリフレクター(６)の入光面(61)に対向する。
【００１４】
上記の如く、該リフレクター(６)の発光面(60)と該発光面の反対側のリフレクター底面(67)との間のリフレクター側面が入光面(61)となっており、キャビネットの厚み方向に対して横切る方向から該入光面(61)に対向して光源(７)を配備したため、発光部(５)のキャビネット厚み方向の高さを小さくできる。このため、第１リアカバー(２)先端の薄型ノーズ部(20)にリフレクター(６)を内蔵して、該ノーズ部(20)をヒンジ部(91)に被せてスマートなデザインに仕上げることが出来る。ノーズ部(30)は先端側がヒンジ部(91)に接近する方向に湾曲しているから、図５の矢印Ａ、Ｂで示す様に、折り畳んだ携帯電話の真上位置と真横位置の２方向から、発光部(５)を目視出来る。従って、携帯電話を衣服のポケットに収めた状態で、ポケットを覗くだけで、発光部(５)の点滅状態を知ることができ便利である。リフレクター(６)の下方には光源(７)や光源用基板(71)は存在しておらず、リフレクター(６)をキャビネット内へ押し込む外力が作用しても、光源(７)や光源用基板(71)を損傷する虞れはない。
【００１５】
リフレクター(６)の下側入光面(61)に対して側方向から入光させて上向きに発光させるため、リフレクター(６)の底面から入光させて上向きに発光させるのに較べて、発光面(60)の発光斑を小さくできる。しかも、入光面(61)は光源(７)を囲む方向に湾曲しており、リフレクター(６)の発光面(60)側の外周面は全周に亘って遮光面(62)となっているから、リフレクター(６)内で光が外方向に拡がり、且つ遮光面(62)で反射を繰り返して発光面(60)を発光させるから発光面(60)は略均一に発光する。
【００１６】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】折畳み式携帯電話の斜面図である。
【図２】携帯電話のキャビネットの分解斜面図である。
【図３】第１フロントケースのヒンジ部側の内部説明図である。
【図４】第１フロントケースと第１リアカバーのヒンジ部側先端部分の斜面図である。
【図５】発光部の取り付け状態を示す断面図である。
【図６】光源用基板の取付け手順の説明図である。
【図７】多層回路基板と光源用基板の平面図である。
【図８】光源用基板の取り付け状態の正面図である。
【符号の説明】
(１) 第１フロントケース
(２) 第１リアカバー
(３) 第２フロントケース
(４) 第２リアカバー
(５) 発光部
(６) リフレクター
(60) 発光面
(61) 入光面
(７) 光源
(71) 光源用基板
(72) シート
(８) 多層回路基板
(81) フレキシブル基板
【図１】
0004288038.tif 000002
【図２】
0004288038.tif 000003
【図３】
0004288038.tif 000004
【図４】
0004288038.tif 000005
【図５】
0004288038.tif 000006
【図６】
0004288038.tif 000007
【図７】
0004288038.tif 000008
【図８】
0004288038.tif 000009